(57)【要約】      （修正有）【課題】油圧のみで駆動するアタッチメントを、電気信号で駆動するアタッチメントに容易に付け替えることができると共に、容易に元の状態に戻すことができる建設機械用アタッチメント取付補助具および付替用の建設機械用アタッチメントを提供する。【解決手段】操作手段１１が、アタッチメントを駆動するための電気信号を発生可能に、建設機械の操作室１の内部に設けられている。操作手段１１は、電気信号を発生可能な操作ボタンを有し、建設機械の操作レバー２に対する操作ボタンの角度および位置を調整して、操作レバー２に着脱可能に設けられている。送信手段１２が、操作手段１１からの電気信号を無線送信可能に、操作室１の内部に設けられている。受信伝達手段１３が、送信手段１２からの電気信号を受信してアタッチメントに伝達可能に、操作室１の外部に設けられている。【選択図】図２
0003193120.tif 000002
【実用新案登録請求の範囲】
【請求項１】
電気信号により油圧を制御して駆動するアタッチメントを、任意の建設機械のアームの先端に取り付ける際に使用される建設機械用アタッチメント取付補助具であって、
前記電気信号を発生可能に、前記建設機械の操作室の内部に設けられる操作手段と、
前記操作手段からの前記電気信号を無線送信可能に、前記操作室の内部に設けられる送信手段と、
前記送信手段からの前記電気信号を受信して前記アタッチメントに伝達可能に、前記操作室の外部に設けられる受信伝達手段とを、
有することを特徴とする建設機械用アタッチメント取付補助具。
【請求項２】
前記建設機械は、前記操作室の内部の操作レバーによりアームを操作するよう構成されており、
前記操作手段は、前記電気信号を発生可能な操作ボタンを有し、前記操作レバーに対する前記操作ボタンの角度および位置を調整して、前記操作レバーに着脱可能に設けられることを
特徴とする請求項１記載の建設機械用アタッチメント取付補助具。
【請求項３】
電気信号により油圧を制御して駆動するアタッチメントと、請求項１または２記載の建設機械用アタッチメント取付補助具とを有することを特徴とする付替用の建設機械用アタッチメント。
【考案の詳細な説明】
【技術分野】
【０００１】
本考案は、建設機械用アタッチメント取付補助具および付替用の建設機械用アタッチメントに関する。
【背景技術】
【０００２】
従来、一般的な建設機械や林業機械等は、油圧のみを利用してアームや、その先端のアタッチメントを操作するよう構成されている。この従来の機械では、アタッチメントを操作するための油を、アタッチメントと機械本体との間で循環させるよう、機械本体からアームを介してアタッチメントまで伸びる油圧配管が複数設けられている。アタッチメントの動きの種類ごとに別系統の油圧配管が必要となるため、動きの種類が増えるほど、多くの油圧配管が必要になる。
【０００３】
また、最近では、電気信号で駆動するアタッチメントを、アームの先端に取り付けた建設機械や林業機械等が開発されている（例えば、特許文献１参照）。この機械では、電気信号で電磁弁等を操作して油圧を制御することによりアタッチメントを駆動するよう構成されており、アタッチメントの動きの種類の数によらず、アタッチメントへの油圧配管は１系統のみでよく、油圧配管の数を減らすことができる。
【先行技術文献】
【特許文献】
【０００４】
【特許文献１】特開２０１１−４７２１１号公報
【考案の概要】
【考案が解決しようとする課題】
【０００５】
従来から、建設機械や林業機械等に対して、購入時に取り付けられているアタッチメントを、別の種類のアタッチメントに付け替えて利用したいという要望がある。しかし、これらの機械は、購入時に取り付けられているアタッチメントに応じて油圧配管や電気配線が行われているため、油圧配管の数や電気配線の有無により、別の種類のアタッチメントへの交換が不可能であったり、新たな電気配線が必要となったりすることが多い。
【０００６】
油圧のみでアタッチメントを駆動する建設機械や林業機械等のアタッチメントを、電気信号で駆動するアタッチメントに付け替える際には、油圧配管は１系統あればよいため問題ないが、操作室からアタッチメントまでの電気配線が必要となり、操作室の穴開けなどの煩雑な作業を行わなければならないという課題があった。また、電気信号で駆動するアタッチメントを、元の油圧のみで駆動するアタッチメントに戻す際には、操作室に開けた穴が不要になってしまうという課題もあった。
【０００７】
本考案は、このような課題に着目してなされたもので、油圧のみで駆動するアタッチメントを、電気信号で駆動するアタッチメントに容易に付け替えることができると共に、容易に元の状態に戻すことができる建設機械用アタッチメント取付補助具および付替用の建設機械用アタッチメントを提供することを目的とする。
【課題を解決するための手段】
【０００８】
上記目的を達成するために、本考案に係る建設機械用アタッチメント取付補助具は、電気信号により油圧を制御して駆動するアタッチメントを、任意の建設機械のアームの先端に取り付ける際に使用される建設機械用アタッチメント取付補助具であって、前記電気信号を発生可能に、前記建設機械の操作室の内部に設けられる操作手段と、前記操作手段からの前記電気信号を無線送信可能に、前記操作室の内部に設けられる送信手段と、前記送信手段からの前記電気信号を受信して前記アタッチメントに伝達可能に、前記操作室の外部に設けられる受信伝達手段とを、有することを特徴とする。
【０００９】
本考案に係る建設機械用アタッチメント取付補助具は、操作室の内部に操作手段と送信手段とを取り付け、操作室の外部に受信伝達手段を取り付けることにより、操作室に配線のための穴をあけることなく、アタッチメントを駆動するための電気信号用の配線を行うことができる。このため、穴開けなどの煩雑な作業が不要となり、電気信号で駆動するアタッチメントに容易に付け替えることができる。また、操作室に穴を開けないため、元のアタッチメントに戻す際に、操作手段や送信手段、受信伝達手段などを取り外すだけで、容易に元の状態に戻すことができる。
【００１０】
本考案に係る建設機械用アタッチメント取付補助具は、油圧のみで駆動するアタッチメントを、電気信号で駆動するアタッチメントに付け替える際に、好適に使用することができる。また、電気信号で駆動するアタッチメントを、電気信号で駆動する他の種類のアタッチメントに付け替える際に使用してもよい。送信手段と受信伝達手段との間の無線送信は、どの波長の電磁波を用いてもよいが、混信を防ぐために、赤外線を利用して行うことが好ましい。なお、ここで、建設機械とは、建設のみの用途の機械に限らず、土木機械や林業機械、解体機械など、様々な機械を含んでいる。また、アタッチメントは、バケット、グラップル、フォークなど、いかなるものであってもよく、いかなる動きをするものであってもよい。
【００１１】
本考案に係る建設機械用アタッチメント取付補助具で、前記建設機械は、前記操作室の内部の操作レバーによりアームを操作するよう構成されており、前記操作手段は、前記電気信号を発生可能な操作ボタンを有し、前記操作レバーに対する前記操作ボタンの角度および位置を調整して、前記操作レバーに着脱可能に設けられることが好ましい。この場合、操作レバーでアームを操作しながら、操作ボタンを押して容易にアタッチメントを操作することができる。操作ボタンの角度および位置を調整することにより、操作ボタンを押しやすい状態で操作手段を取り付けることができる。また、既存の操作レバーを利用して操作手段を取り付けることができ、操作レバー自体を交換する必要がない。
【００１２】
本発明に係る付替用の建設機械用アタッチメントは、電気信号により油圧を制御して駆動するアタッチメントと、本発明に係る建設機械用アタッチメント取付補助具とを有することを特徴とする。
【００１３】
本発明に係る付替用の建設機械用アタッチメントは、本発明に係る建設機械用アタッチメント取付補助具を利用して、既存の建設機械のアタッチメントを、電気信号により油圧を制御して駆動するアタッチメントに容易に付け替えることができる。本発明に係る付替用の建設機械用アタッチメントは、例えばレンタル用のアタッチメントとして、好適に利用することができる。
【考案の効果】
【００１４】
本考案によれば、油圧のみで駆動するアタッチメントを、電気信号で駆動するアタッチメントに容易に付け替えることができると共に、容易に元の状態に戻すことができる建設機械用アタッチメント取付補助具および付替用の建設機械用アタッチメントを提供することができる。
【図面の簡単な説明】
【００１５】
【図１】本考案の実施の形態の建設機械用アタッチメント取付補助具の、操作手段の使用状態を示す（ａ）正面図、（ｂ）左側面図である。
【図２】本考案の実施の形態の建設機械用アタッチメント取付補助具の使用状態を示す斜視図である。
【図３】図２で無線を使用しない場合の使用状態を示す斜視図である。
【図４】本考案の実施の形態の建設機械用アタッチメント取付補助具の、操作手段の変形例の使用状態を示す左側面図である。
【考案を実施するための形態】
【００１６】
以下、図面に基づき本考案の実施の形態について説明する。
図１および図２は、本考案の実施の形態の建設機械用アタッチメント取付補助具を示している。
図１および図２に示すように、本考案の実施の形態の建設機械用アタッチメント取付補助具は、電気信号により油圧を制御して駆動するアタッチメントを、任意の建設機械のアームの先端に取り付ける際に使用されるものであり、操作手段１１と送信手段１２と受信伝達手段１３とを有している。
【００１７】
なお、アタッチメントを取り付ける建設機械は、操作室１の内部の操作レバー２によりアームを操作するよう構成されており、アタッチメントに油を供給するための油圧配管を、少なくとも１系統有している。また、取り付けるアタッチメントは、電気信号により電磁弁等を駆動することにより、その油圧配管から供給される油圧を制御して駆動するよう構成されている。
【００１８】
図１に示すように、操作手段１１は、建設機械の操作室１の内部の操作レバー２に取付可能に設けられ、固定具２１と取付アーム２２と基部２３と操作ボタン２４とを有している。固定具２１は、環状を成し、内側に操作レバー２を挿入して、操作レバー２の付け根に固定可能になっている。取付アーム２２は、固定具２１に取り付けられており、操作レバー２の先端に向かって操作レバー２に沿って湾曲して伸びている。取付アーム２２は、固定具２１に対する取付位置を、伸長方向で調整可能になっている。基部２３は、矩形板状を成し、裏面に円弧状の凹部２３aが形成されている。基部２３は、取付アーム２２の先端に取り付けられており、取付アーム２２に対する取付角度を調整可能になっている。操作ボタン２４は、基部２３の表面に配置され、基部２３の表面に対して左側および右側を選択的に押し込み可能に構成されている。操作ボタン２４は、左側または右側を押し込むことにより、それぞれ電気信号を発生可能になっている。
【００１９】
操作手段１１は、操作レバー２の先端に基部２３の凹部２３aを当てた状態で、固定具２１により操作レバー２に固定するようになっている。操作手段１１は、固定具２１に対する取付アーム２２の位置および基部２３の角度（図１中の両矢印参照）を調整することにより、操作レバー２に対する操作ボタン２４の角度および位置を調整して固定され、あるいは着脱可能に取り付けられている。また、操作手段１１は、操作ボタン２４で発生した電気信号を伝達するよう、操作ボタン２４から基部２３および取付アーム２２の内部を通って伸びる信号ケーブル２５を有している。
【００２０】
図２に示すように、送信手段１２は、操作室１の内部に取付可能に設けられている。送信手段１２は、操作手段１１から伸びる信号ケーブル２５が接続されて、操作手段１１からの電気信号を受信可能になっている。また、送信手段１２は、受信した電気信号を赤外線で無線送信可能になっている。送信手段１２は、操作室１の内部のシガーライターや内蔵されたバッテリーにより駆動可能になっている。
【００２１】
図２に示すように、受信伝達手段１３は、送信手段１２からの電気信号を受信するよう、操作室１の外部に取付可能に設けられている。受信伝達手段１３は、アームの先端に取り付けられたアタッチメントまで伸びる信号ケーブル２６を有し、受信した電気信号をアタッチメントに伝達可能になっている。なお、受信伝達手段１３は、受信した電気信号を、必要に応じてアタッチメントを駆動するための電気信号に変換してから伝達するようになっている。また、受信伝達手段１３は、建設機械のバッテリー３により駆動可能になっている。
【００２２】
次に、作用について説明する。
本考案の実施の形態の建設機械用アタッチメント取付補助具は、主に、油圧のみで駆動するアタッチメントを、電気信号で駆動するアタッチメントに付け替える際に使用される。図２に示すように、本考案の実施の形態の建設機械用アタッチメント取付補助具は、操作室１の内部に操作手段１１と送信手段１２とを取り付け、操作室１の外部に受信伝達手段１３を取り付けることにより、操作室１に配線のための穴をあけることなく、アタッチメントを駆動するための電気信号用の配線を行うことができる。このため、図３に示すように、無線を使用せず、操作室１に穴をあけて、コントロールボックス４などを介して有線で配線を行う場合と比べて、穴開けなどの煩雑な作業が不要となり、電気信号で駆動するアタッチメントに容易に付け替えることができる。また、操作室１に穴を開けないため、元のアタッチメントに戻す際に、操作手段１１や送信手段１２、受信伝達手段１３などを取り外すだけで、容易に元の状態に戻すことができる。
【００２３】
本考案の実施の形態の建設機械用アタッチメント取付補助具は、操作レバー２でアームを操作しながら、操作ボタン２４を押して容易にアタッチメントを操作することができる。操作ボタン２４の角度および位置を調整可能であるため、操作ボタン２４を押しやすい状態で操作手段１１を取り付けることができる。また、既存の操作レバー２を利用して操作手段１１を取り付けることができ、操作レバー自体を交換する必要がない。送信手段１２から受信伝達手段１３への無線送信に赤外線を利用するため、他の無線との混信を防ぐことができる。
【００２４】
本考案の実施の形態の建設機械用アタッチメント取付補助具は、電気信号で駆動するアタッチメントであれば、いかなるアタッチメントの取付に使用されてもよい。例えば、グラップルのように、「掴む」、「はなす」、「右旋回」、「左旋回」の４つの動作を行う場合、右手用の操作レバー２に取り付けた操作ボタン２４の右側を押すことにより「掴む」動作を、左側を押すことにより「はなす」動作を、左手用の操作レバー２に取り付けた操作ボタン２４の右側を押すことにより「右旋回」動作を、左側を押すことにより「左旋回」動作を行うようにすることができる。
【００２５】
本考案の実施の形態の建設機械用アタッチメント取付補助具は、電気信号で駆動するアタッチメントと共に、レンタル用のアタッチメントとして利用することができる。
【００２６】
なお、図４に示すように、本考案の実施の形態の建設機械用アタッチメント取付補助具で、操作手段１１の取付アーム２２は、操作レバー２の前方側に、操作レバー２との間に間隔をあけて取り付けられてもよい。この場合、操作レバー２を握って操作する際、取付アーム２２が邪魔にならず、操作しやすい。
【符号の説明】
【００２７】
１  操作室
２  操作レバー
３  バッテリー
１１  操作手段
２１  固定具
２２  取付アーム
２３  基部
２３ａ  凹部
２４  操作ボタン
２５  信号ケーブル
１２  送信手段
１３  受信伝達手段
２６  信号ケーブル
【図１】
0003193120.tif 000003
【図２】
0003193120.tif 000004
【図３】
0003193120.tif 000005
【図４】
0003193120.tif 000006